(57)【要約】  本発明は、ソケット１．５及び該ソケット１．５と結合可能な報知器挿入部材１．１を有する火災報知器１に関する。報知器挿入部材１．１を被覆するために、カバーキャップ３、並びに該カバーキャップ３と報知器挿入部材１．１との間に配置されたシート２，２．１が設けられている。
2007511843.tif 000002
【特許請求の範囲】
【請求項１】
ソケット（１．５）及び該ソケット（１．５）に結合可能な報知器挿入部材（１．１）を有する火災報知器（１）において、
報知器挿入部材（１）を被覆するためにカバーキャップ（３）が設けられており、該カバーキャップ（３）と報知器挿入部材（１．１）との間に配置されたシート（２，２．１）が設けられていることを特徴とする、火災報知器。
【請求項２】
カバーキャップ（３）が透明である、請求項１記載の火災報知器。
【請求項３】
カバーキャップ（３）が凸面状に形成されている、請求項１又は２記載の火災報知器。
【請求項４】
カバーキャップが少なくとも部分的にフロスティングを施されて形成されている、請求項１から３までのいずれか１項記載の火災報知器。
【請求項５】
カバーキャップ（３）が火災報知器（１）の報知器挿入部材（１．１）と取外し可能に結合可能である、請求項１から４までのいずれか１項記載の火災報知器。
【請求項６】
カバーキャップ（３）と報知器挿入部材（１．１）との間の結合手段が、解離可能な係止手段又は面ファスナとして形成されている、請求項１から５までのいずれか１項記載の火災報知器。
【請求項７】
シート（２，２．１）が着色されており且つ／又は模様を有している、請求項１から６までのいずれか１項記載の火災報知器。
【請求項８】
シート（２，２．１）が両面を着色されており且つ／又は両面に模様を有しており、この場合、シート（２，２．１）の各面がそれぞれ異なる色及び／又は模様を有している、請求項１から７までのいずれか１項記載の火災報知器。
【請求項９】
容易に取外し可能で、カバーキャップ（３）を中心として同心的に組込み可能なほぼ環状の板（３．１）を有している、請求項１から８までのいずれか１項記載の火災報知器。
【請求項１０】
シート（２，２．１）がニュートラルであり且つ汎用の天井色で塗装可能な表面構造を有している、請求項１から９までのいずれか１項記載の火災報知器。
【請求項１１】
ソケット（１．５）及び報知器挿入部材（１．１）を有する火災報知器（１）を備えた組込みセットにおいて、該組込みセットが、取外し可能に火災報知器（１）と結合可能なカバーキャップ（３）と、交換可能な複数のシート（２，２．１）を含むシートセットとを有していることを特徴とする、組込みセット。
【発明の詳細な説明】
【技術分野】
【０００１】
従来技術
本発明は、請求項１の上位概念に記載の形式の火災報知器に関する。火災報知器は人及び有価物を保護するために、相応の火災荷重を伴う範囲における火災を早期検知するために使用される。火災報知器は一般に部屋天井に組み込まれており、約１０ｃｍの直径及び約７ｃｍ〜１０ｃｍの高さを有する丸くて白いケーシングを有している。火災報知器の機能に基づいて、前記ケーシングは部屋天井に載着されている。火災報知器は工業的な大量生産品であり、所定のタイプ及びメーカの火災報知器は一般に同じに見える。適当なケーシングサイズは、公衆の往来がある空間内で、通常は部屋天井において直ちに火災報知器として認識される必要がある。従って、大量生産品の同一形状及びケーシング形状は、常に火災報知器の機能とユーザの好みと周辺環境の視覚的な要求との間の妥協の産物である。
【０００２】
ドイツ連邦共和国特許出願公開第１０１１８９１３号明細書から公知の散乱光式煙感知器は送光器と受光器とを有しており、これらの送光器及び受光器は、散乱点が散乱光式煙感知器の外位に露出するように配置されている。この場合、散乱光式煙感知器は送光器及び受光器を保護するためのカバー、並びに散乱点を中心とした所定の領域に存在する煙と他の異物とを区別するための手段を有している。煙と他の異物とを区別するための手段は、受光器の受光信号の時間経過を分析するためのプロセッサを有しており、このプロセッサは受光器に接続可能である。当該の散乱光式煙感知器に用いられた火災検知技術は、天井とほぼ整合した散乱光式煙感知器の組込みを可能にする。これにより、このような火災報知器の目立たない組込みの意味で既に重要な一歩が踏み出されている。しかし、このように天井と同一平面上で整合するように使用される火災報知器は、そのカラーデザインに関して、特にカラフルにデザインされた室内では周辺環境と著しく異なっており、これにより更に目立って邪魔な物体であると認識される。但し、適当に着色されたプラスチックを使用することによる、火災報知器を外部に対して閉鎖するカバーの考えられる色的な適合は、相応に大きな物流手間を伴う種々様々なタイプバリエーションの無視し得ない多様性をもたらすことになりかねない。しかし、より一層多様な色にも関わらず、規格化された大量生産品の枠内で、組込み箇所において支配的なカラーデザインに正確に適合させることは不可能である。更に、改装作業の枠内で、周辺環境のカラーデザインが変更される可能性があるということを考慮する必要がある。この場合、本来最初の組込み時は色的に適合された火災報知器も、やはり邪魔な異物に見えてしまう恐れがある。但し、新たにデザインされた周辺環境に適合させるために火災報知器を後から塗装することは、容易には可能でない。それというのも、天井と整合した、視覚的なラビリンス無しの火災報知器の場合は、不適切に施された塗装によって火災報知器の動作感度が不都合に影響を及ぼされるという危険が生じるからである。
【０００３】
前掲のドイツ連邦共和国特許出願公開第１０１１８９１３号明細書からは更に、規定された測定体積を得るために２つの受光器を有しているか、又は１受光器のための投影光学系を有する散乱光式煙感知器が公知である。
【０００４】
発明の利点
本発明に基づいて構成された、請求項１の特徴部に記載の構成を有する火災報知器は、ユニバーサルに使用することができるという利点を提供する。それというのも、この火災報知器は簡単且つ廉価に事実上任意の周辺環境条件に適合可能だからである。このためには、当該の火災報知器はこの火災報知器のケーシングに結合可能なカバーキャップを有しており、このカバーキャップは天井に整合してケーシングを閉鎖する。カバーキャップは切欠きを有しており、この切欠きには、火災報知器のケーシングにカバーキャップを載着する前に予め打ち抜かれたシートが挿入可能である。このようなシートは、多様なカラーシェーディングを備えた耐光性の構成で廉価に製作可能である。シートが見えるようにするためには、カバーキャップは有利には透明に構成されている。火災報知器は、有利には大量生産で、居住空間の慣用色を有するシートを備えた組込みセットとして構成されている。ケーシング及びカバーキャップは、有利には係止結合又はクリップ結合によって互いに結合可能である。別の変化態様では面ファスナが設けられていてもよい。このような解離可能な結合手段は、一方では火災報知器のケーシングにおけるカバーキャップの確実な保持に役立ち且つ他方ではカバーキャップがシート交換のために容易に取り外されて、再びケーシングと結合され得るということも可能にする。難しい周辺環境条件においても色に関して最適な適合を得るためには、カバーキャップの材料及び形状が色合わせを助成することができる。つまり、カバーキャップのやや凸面状の形状によって、カラートーンが互いに調和して移行しているという印象が助成され得る。この印象を更に助成するためには、付加的にカバーキャップはその表面の全体又は少なくとも部分領域に軽くフロスティングが施されていてもよい。前記手段によって、異なる表面構造及び着色を有する隣り合った範囲間の違いはぼやける。特に合理的なのは、シートの両面が異なる色及び／又は異なる表面構造を有していることである。このようにして、更に多くのカラーバリエーションが付属セットにおいて供与される。勿論、ニュートラルカラーの交換可能なシートを付けることも可能であり、この場合、このシートは組込みの現場で塗装可能であり、このようにして周辺環境に正確に適合可能である。ソケットに挿入された後でソケット縁部を被覆しない火災報知器挿入部材も使用可能である。この場合、ソケット縁部自体は所定の板によってカバーされ得る。この場合も前記板は、シート挿入のために簡単に取外し可能であるように構成されていてよい。有利には、カバーキャップ及び／又は板は、被覆材料を適当に裁断するための型として構成されていてもよい。これにより、組込みの現場で周辺環境に合った被覆材料を適当に裁断して、シートの変わりにカバーキャップに挿入することが可能である。別の変化態様では、デザイン的な理由から所望された場合は周辺環境と著しく異なるコントラストカラーを有するシートを使用することも勿論可能である。これにより特別な視覚効果が得られる。この大きなフレキシビリティーは、本発明に基づく構成手段によって可能になる。
【０００５】
実施例の説明
以下に、本発明の実施例を図面につき詳しく説明する。
【０００６】
図１には本発明の第１実施例が示されている。図示されているのは火災報知器１の横断面図である。この火災報知器１は、部屋天井４の切欠き５に当該火災報知器１を組み込むための埋込み式組込みアダプタ１．４を有しており、部屋天井４には火災報知器１を接続するためのケーブル（図示せず）が挿入される。更に、火災報知器１は、埋込み式組込みアダプタ１．４の内側に結合されており且つコンタクト素子に通じるケーブルの電線が取り付けられるソケット１．５及び取外し可能な閉鎖装置と一緒にソケット１．５に挿入され、その際自動的にコンタクト素子に接続される報知器挿入部材１．１を有している。この報知器挿入部材１．１には光線受光器１．２及び光線送光器１．３が配置されている。これらの光線受光器１．２及び光線送光器１．３の光線経路は火災ガスを検出するための散乱体積を取り囲んでいる。更に、火災報知器１は有利には透明のカバーキャップ３と、交換可能なシート２とを有しており、このシート２はカバーキャップ３と報知器挿入部材１．１との間に配置されている。通常の組込み過程では、埋込み式組込みアダプタ１．４及びソケット１．５は本来の報知器挿入部材１．１とは独立して予め組み付けることができる。どの組付け進行時点で天井塗料が部屋天井４に付与されるかは重要ではない。部屋天井４の塗装に際しては、原則として報知器挿入部材１．１が組み付けられていない状態であるということが要求されている。報知器挿入部材１．１は、通常熟練工によってソケット１．５に挿入され、この場合、正しい機能が点検される。ソケット１．５に報知器挿入部材１．１を挿入する直前に熟練工が部屋天井４の色に関連して、当該色に適合するシート２を選出し、報知器挿入部材１．１のカバーキャップ３を専門的に取り外し、選出したシート２を挿入する。このシート２は工業的な製作に基づいて適当な適合形状を有している。次いで、カバーキャップ３は再び報知器挿入部材１．１と結合される。熟練工によって、シート２の挿入時に火災報知器１は損傷されずにその機能を維持し続けるということが保証されている。適当なシート２の選出はユーザと共同で行うことができるので、色の選出は火災報知器の使用条件及びユーザの希望に対応する。使用されないシート２は火災報知器の支持体に保管しておくことができる。この場合、使用されないシート２は改装の枠内で場合によってはあり得る部屋天井４の色変更に際して、火災報知器１の色合わせのために引き続き使用することができる。部屋天井４の塗装に際して火災報知器１は予め熟練工によって取り外されなければならないので、シート２の交換時にも火災報知器１が専門的に取り扱われるということは保証されている。
【０００７】
図２には火災報知器１の別の実施例が横断面図で示されている。部屋天井４の切欠き５に固定された埋込み式組込みアダプタ１．４がやはり設けられている。この埋込み式組込みアダプタ１．４にはソケット１．５が配置されている。このソケット１．５には報知器挿入部材１．１が取外し可能に結合されている。火災報知器１のこの実施例では、ソケット１．５に固定された報知器挿入部材１．１がソケット１．５の縁部を覆っていない。報知器挿入部材１．１と隣接する部屋天井４の表面との間に傾斜した移行部を形成するためには、カバーキャップ３を取り囲む環状板３．１が付加的に設けられている。この環状板３．１も有利には容易に取外し可能に形成されるので、当該の環状の縁部域にもシート２．１を挿入することができる。
【０００８】
火災報知器１を部屋デザインに適合させる際に、本発明に基づく構成手段によって得られる高いフレキシビリティーにも関わらず、制限された数のシート２，２．１を以て全ての用途において当該シート２，２．１の色と部屋天井４の色とを正確に合致させることはできない。しかし、シート２，２．１を透明なカバーキャップ３と報知器挿入部材１．１との間に配置するか、若しくは環状板３．１と部屋天井４の表面との間に配置することによって、付加的な視覚効果を作用させることが可能である。それというのも、見る人の色彩感覚にとっては、カバーキャップ３及び環状板３．１の視覚的な特徴も重要だからである。カバーキャップ３若しくは環状板３．１の湾曲部並びにカバーキャップ３及び環状板３．１の材料特性により、人間の目にとってのカラーニュアンスの違いを補償する視覚的な延在部が得られる。このためには図２に示したように、有利にはカバーキャップ３がやや凸面状に構成される。この効果は更に、カバーキャップ３若しくは環状板３．１を完全に透明に構成するのではなく、軽くフロスティングを施すことによって強められる。この場合、火災報知器１は天井表面に設けられたやや乳白色のカバーのように見える。場合によってはまだ存在しているカラーニュアンスの違いを最早区別することはできない。
【０００９】
反対に、部屋天井４の色に対して著しいカラーコントラストを成すシート２を火災報知器１に挿入することも可能である。これにより、デザイン的に色で遊び且つ報知器配置に際して特別な視覚効果を得る手段が得られる。
【００１０】
更に、シート２，２．１の両面に異なる色及び／模様を印刷することが考えられる。このようにして、異なる２ｎ色からｎ枚のシートを選出できる可能性が得られる。
【００１１】
更に、適当な表面構造を有する交換可能なニュートラルなシート２，２．１を付けておくことが考えられる。このシート２，２．１は現場で部屋天井の色に塗られ、乾燥後に火災報知器１に挿入される。このようにして、既存の天井塗装に対する個別の正確な色合わせを行うことも可能である。
【図面の簡単な説明】
【００１２】
【図１】天井と同一平面上で整合するように組込み可能な火災報知器の第１実施例を示した図である。
【図２】火災報知器の第２実施例を示した図である。
【図１】
2007511843.tif 000003
【図２】
2007511843.tif 000004
【国際調査報告】
2007511843.tif 000005
2007511843.tif 000006
2007511843.tif 000007
2007511843.tif 000008